(57)【特許請求の範囲】
【請求項１】
転送データの転送先までの転送に掛かる期間に対応する生存期間を含む前記転送データを送信するモジュールと、
前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、
前記モジュールと前記ルータとを接続するチャネルと、
前記ルータと隣接するルータとを接続するチャネルと、を含む
半導体チップ。
【請求項２】
前記モジュールは、前記生存期間として、前記転送データに含まれる前記生存期間の想定される最大値を含む前記転送データを送信する
請求項１記載の半導体チップ。
【請求項３】
前記生存期間の前記最大値は、前記転送先となる前記モジュールまでのＨＯＰ数に対応する値に基づいて定められる
請求項２記載の半導体チップ。
【請求項４】
前記モジュールは、前記転送データがリードリクエストである場合に、前記生存期間として前記最大値に、所定のリード加算値を加算された値を含む前記転送データを送信する
請求項２または３記載の半導体チップ。
【請求項５】
前記モジュールは、前記転送データが前記リードリクエストに対する応答である場合に、前記生存期間として前記最大値に、前記リード加算値と、前記応答である転送データの生成に掛かった時間に対応する応答加算値とを加算された値を含む前記転送データを送信する
請求項２から４のいずれか一項記載の半導体チップ。
【請求項６】
転送データの転送先までの転送に掛かる期間に対応する生存期間を含む前記転送データを送信するモジュールと、
前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、
前記モジュールと前記ルータとを接続するチャネルと、
前記ルータと隣接するルータとを接続するチャネルと、を含む半導体チップと、
前記半導体チップを搭載するパッケージと、
前記半導体チップに接続され、前記パッケージ外部へ延出する接続端子と、を含む
集積回路。
【請求項７】
転送データの転送先までの転送に掛かる期間に対応する生存期間を含む前記転送データを送信するモジュールと、
前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、
前記モジュールと前記ルータとを接続するチャネルと、
前記ルータと隣接するルータとを接続するチャネルと、を含む半導体チップを含む集積回路と、
前記集積回路へ電力を供給する回路と、を含む
カード。
【請求項８】
複数の入出力制御部を含むルータが、
モジュールが送信する転送データの転送先までの転送に掛かる期間に対応する生存期間を含む前記転送データを受信し、
一つの前記入出力制御部に競合している複数の送信される前記転送データの内、最大の前記生存期間を含む前記転送データを送信するための調停の結果として、送信を保留された前記転送データに含まれる前記生存期間に所定の値を加算する
データ転送方法。
【発明の詳細な説明】
【技術分野】
【０００１】
本発明は、ネットワークオンチップアーキテクチャを利用する半導体チップ、その半導体チップを搭載する集積回路、及びその半導体チップにおけるデータ転送方法に関する。
【背景技術】
【０００２】
通信ネットワークにおける、パケットの転送の優先順位を制御するための様々な技術が開示されている。
【０００３】
特許文献１は、通信ネットワークでの優先権のスケジュールに関し、以下の技術を開示する。第１に、優先レベルが高位のパケット（以下、高優先パケットと記載する。）は、待ち行列の最後尾ではなく、待ち行列中のより前方のポイントに配置される。第２に、その前方のポイントは、その高優先パケットの遅延要求または予測待ち行列遅延の、予め定められた割合に基づいて決定される。
【０００４】
特許文献２は、優先度設定装置を開示する。その優先度設定装置は、送受信ノードが同じである複数のパケットを取得し、それらのパケットのパケット間遅延に応じて、パケットの優先度を設定する。例えば、その優先度設定装置は、所定の期間に取得された複数のパケットの、取得時刻に基づいて、それらのパケット間遅延の統計量である第１遅延量を算出し、その第１遅延量と所定の基準遅延量との差に基づいてパケットの優先度を設定する。また、その優先度設定装置は、第１遅延量の統計量である第２遅延量を算出し、その第２遅延量を前述の基準遅延量として採用する。
【０００５】
一方、近年のＬＳＩ（ＬＡＲＧＥ  ＳＣＡＬＥ  ＩＮＴＥＧＲＡＴＩＯＮ）設計においては、ＬＳＩチップ内のモジュール間をルータとチャネルにより接続するネットワークオンチップ技術が採用されるようになってきた。
【０００６】
例えば、特許文献３は、ネットワークオンチップの一例を開示する。特許文献３に記載のネットワークオンチップは、集積プロセッサブロック、ルータ、メモリ通信コントローラ及びネットワーク・インターフェイス・コントローラを含む。そのネットワークオンチップにおいて、第１に、各々のその集積プロセッサブロックは、そのメモリ通信コントローラ及びそのネットワーク・インターフェイス・コントローラを介して、そのルータに結合される。第２に、各々のそのメモリ通信コントローラが、その集積プロセッサブロック及びメモリ間の通信を制御する。第３に、各々のそのネットワーク・インターフェイス・コントローラが、そのルータを介して集積プロセッサブロック間通信を制御する。
【０００７】
このようなネットワークオンチップのルータは、複数のポートから特定の１つのポートへの複数の通信（パケットの転送）が競合した場合、その複数の通信を調停する手法として、例えばラウンドロビン方式を採用している。
【先行技術文献】
【特許文献】
【０００８】
【特許文献１】特開２０１２−１８２８０７号公報
【特許文献２】特開２０１２−２３９１３８号公報
【特許文献３】特開２００９−１１０５１２号公報
【発明の概要】
【発明が解決しようとする課題】
【０００９】
ネットワークオンチップにおいては、以下の２点が同時に求められる。第１点は、チップ内のパケット転送におけるレイテンシ及びスループットのばらつきが可能な限り小さいことである。第２点は、ネットワークオンチップにおいてはレイアウト上のオーバヘッドである、ルータの占める面積が可能な限り小さいことである。ここで、「チップ内のパケット転送」とは、ネットワークオンチップ内の、あるモジュール（特許文献３における集積プロセッサブロック）から別のモジュールへのパケット転送である。
【００１０】
しかしながら、上述した先行技術文献に記載された技術においては、ルータの占める面積の増加を抑えつつ、チップ内のパケット転送におけるレイテンシ及びスループットのばらつきを小さくすることができないという問題点がある。
【００１１】
その理由は、以下のとおりである。
【００１２】
特許文献１及び特許文献２のそれぞれに記載された技術は、論理が複雑であるために、ハードウエア量を増加させる。そのため、ルータの面積が大きくなってしまうという問題点がある。
【００１３】
一方、ラウンドロビン方式の調停は、各ルータ内部における、優先順位の調停の公平性を保つ。しかし、パケットが複数のルータを経由して転送される場合、それらの複数のルータの全体を通じての公平性は保証されない。換言すると、複数のルータ毎の調停の結果が、パケットより低い或いは高い優先順位のいずれかに、偏る場合が、ありえる。従って、複数のルータを経由して転送されるパケットのそれぞれの、レイテンシ及びスループットには、ばらつきが発生するという問題点がある。
【００１４】
本発明の目的は、上述した問題点を解決できる半導体チップ、集積回路、及びデータ転送方法を提供することにある。
【課題を解決するための手段】
【００１５】
本発明の一様態における半導体チップは、転送データの転送に掛かる期間に対応する生存期間を含む前記転送データを送信するモジュールと、前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、前記モジュールと前記ルータとを接続するチャネルと、前記ルータと隣接するルータとを接続するチャネルと、を含む。
【００１６】
本発明の一様態における集積回路は、転送データの転送に掛かる期間に対応する生存期間を含む前記転送データを送信するモジュールと、前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、前記モジュールと前記ルータとを接続するチャネルと、前記ルータと隣接するルータとを接続するチャネルと、を含む半導体チップと、前記半導体チップを搭載するパッケージと、前記半導体チップに接続され、前記パッケージ外部へ延出する接続端子と、を含む。
【００１７】
本発明の一様態におけるカードは、転送データの転送に掛かる期間に対応する生存期間を含む前記転送データを送信するモジュールと、前記転送データの受信及び送信のための複数の入出力制御部を含み、一つの前記入出力制御部に競合している複数の送信される前記転送データの内、最大の前記生存期間を含む前記転送データを送信するための調停の結果として、送信を保留された前記転送データに含まれる前記生存期間に所定の値を加算するルータと、前記モジュールと前記ルータとを接続するチャネルと、前記ルータと隣接するルータとを接続するチャネルと、を含む半導体チップを含む集積回路と、前記集積回路へ電力を供給する回路と、を含む。
【００１８】
本発明の一様態におけるデータ転送方法は、複数の入出力制御部を含むルータが、モジュールが送信する転送データの転送に掛かる期間に対応する生存期間を含む前記転送データを受信し、一つの前記入出力制御部に競合している複数の送信される前記転送データの内、最大の前記生存期間を含む前記転送データを送信するための調停の結果として、送信を保留された前記転送データに含まれる前記生存期間に所定の値を加算する。
【発明の効果】
【００１９】
本発明は、パケット転送におけるレイテンシ及びスループットのばらつきの削減を、より少ないハードウエア量で、より適切に、実現することが可能になるという効果がある。
【図面の簡単な説明】
【００２０】
【図１】本発明の第１の実施形態に係るＬＳＩチップの基本構成を示すブロック図である。
【図２】第１の実施形態に係るＬＳＩチップの全体構成を示すブロック図である。
【図３】第１の実施形態におけるパケットの構造の一例を示す図である。
【図４】一般的なラウンドロビン方式の調停におけるレイテンシのばらつきの、シミュレーション結果を示す図である。
【図５】第１の実施形態におけるレイテンシのばらつきの、シミュレーション結果を示す図である。
【図６】本発明の第２の実施形態に係るＬＳＩチップの基本構成を示すブロック図である。
【図７】各実施形態に係るＬＳＩチップを含む集積回路の一例を示すブロック図である。
【図８】各実施形態に係るＬＳＩチップを含む集積回路を含むカードの一例を示すブロック図である。
【図９】各実施形態に係るＬＳＩチップを含む集積回路を含むカードを含む情報処理装置の一例を示すブロック図である。
【図１０】各実施形態に係るＬＳＩチップを含む集積回路を含むカードを含む情報処理装置を含む情報処理システムの一例を示すブロック図である。
【発明を実施するための形態】
【００２１】
本発明を実施するための形態について図面を参照して詳細に説明する。尚、各図面及び明細書記載の各実施形態において、同様の構成要素には同一の符号を付与し、説明を適宜省略する。
【００２２】
＜＜＜第１の実施形態＞＞＞
図１は、本発明の第１の実施形態に係るＬＳＩチップ（半導体チップとも呼ばれる）３０の基本構成を示すブロック図である。
【００２３】
図２は、本発明の第１の実施形態に係るＬＳＩチップ３０の全体構成を示すブロック図である。尚、図２において、「Ｒ」はルータを、「Ｍ」はモジュールを示す。
【００２４】
図１及び図２に示すように、本実施形態に係るＬＳＩチップ３０は、ルータ１０とモジュール４０とチャネル２０とを含む。尚、図１及び図２の例に係わらず、ルータ１０、モジュール４０及びチャネル２０の数は、任意の数であってよい。
【００２５】
＝＝＝チャネル２０＝＝＝
チャネル２０は、モジュール４０とルータ１０とを接続する。またチャネル２０は、隣り合うルータ１０どうしを接続する。チャネル２０は、例えば複数のワイヤ（不図示）で構成される。
【００２６】
＝＝＝モジュール４０＝＝＝
モジュール４０は、生存期間を含むパケット（転送データとも呼ばれる）７０を送信する。
【００２７】
その生存期間は、そのパケット７０の転送に掛かる時間に対応する。具体的には、その生存期間は、後述のルータ１０内における調停の結果としての、送信の保留回数に対応する。その生存期間は、送信の保留回数が多いほど大きい値である。その生存期間の単位は任意の単位が用いられてよい。例えば、生存期間は、無単位で、保留の回数そのものであってよい。或いは、その生存期間はナノ秒であってよい。この場合、その生存期間は、経験的或いは理論的に求められた、１回の保留による待ち時間を、保留回数に乗じた値であってよい。
【００２８】
例えば、モジュール４０は、その生存期間として０を含むパケット７０を送信する。
【００２９】
図３は、本実施形態における、パケット７０の構造の一例を示す図である。図３に示すように、パケット７０は、転送先情報（不図示）を含むヘッダフリット７１０及び実際の転送データを含む複数のデータフリット７２０［１〜ｎ（ｎは１以上の自然数）］から構成される。更に、図３に示すように、ヘッダフリット７１０は、生存期間が格納される生存期間フィールド７１１を含む。
【００３０】
＝＝＝ルータ１０＝＝＝
ルータ１０は、一つの入出力制御部１００に競合している複数の送信されるパケット７０の内、調停の結果として保留されたパケット７０に含まれる生存期間に所定の値を加算する。その調停は、一つの入出力制御部１００に競合している複数の送信されるパケット７０の内、最大の生存期間を含むパケット７０を送信するための調停である。その生存期間は、それらの複数のパケット７０のそれぞれの生存期間フィールド７１１に格納された生存期間である。その所定の値は、例えば「１（保留回数が１或いは１ナノ秒などを示す）」である。ここで、「一つの入出力制御部１００に競合している複数の送信されるパケット７０」とは、その複数のパケット７０を送信する入出力制御部１００が同一であることを示す。即ち、「一つの入出力制御部１００に競合している複数の送信されるパケット７０」とは、複数の入出力制御部１００がパケット７０を受信し、それらのパケット７０のヘッダフリット７１０に含まれる転送先情報に対応する入出力制御部１００が同一であることを示す。
【００３１】
図１に示すように、ルータ１０は、パケット７０の受信及び送信のための複数の入出力制御部１００を含む。ルータ１０は、モジュール４０から、直接及び他のルータ１０を経由し、チャネル２０を介して入出力制御部１００にパケット７０を受信する。ルータ１０は、モジュール４０及び他のルータ１０へ、チャネル２０を介して入出力制御部１００からパケット７０を送信する。
【００３２】
入出力制御部１００は、主にレジスタ（不図示）からなるバッファ（不図示）で構成される。入出力制御部１００は、更に生存期間更新部１１０を含む。
【００３３】
入出力制御部１００は、受信したパケット７０を、そのバッファに保持する。同時に、入出力制御部１００は、受信したパケット７０のヘッダフリット７１０を調停部３００へ送信する。
【００３４】
図１に示すように、ルータ１０は、更に調停部３００を含んでよい。本実施形態の調停部３００は、ルータ１０全体の動作を制御する。換言すると、調停部３００は、ルータ１０から入出力制御部１００を除いた残りの全てである。
【００３５】
調停部３００は、前述の調停の結果に基づいて、例えばルーティング手段（不図示）により、パケット７０を受信した入出力制御部１００から、そのパケット７０を送信する入出力制御部１００へパケット７０を転送（以後、ルーティング転送と呼ぶ）する。本実施形態においては、調停部３００がルーティング手段を含んでいるものとする。
【００３６】
換言すると、調停部３００は、ヘッダフリット７１０を受信した場合、そのヘッダフリット７１０に対応するルーティング転送を実行する。即ち、調停部３００は、そのヘッダフリット７１０を受信した入出力制御部１００から、そのヘッダフリット７１０に含まれる転送先情報に対応する入出力制御部１００への、ルーティング転送を実行する。
【００３７】
ここで、調停部３００が、複数の入出力制御部１００からヘッダフリット７１０を受信した場合について説明する。
【００３８】
それらのヘッダフリット７１０のそれぞれに含まれる転送先情報に対応する入出力制御部１００が全て異なる場合、調停部３００は、それらのヘッダフリット７１０のそれぞれに対応するルーティング転送を実行する。
【００３９】
それらのヘッダフリット７１０のそれぞれに含まれる転送先情報に対応する入出力制御部１００のいずれか２以上が同一である場合、調停部３００は、以下のとおり動作する。調停部３００は、その同一の入出力制御部１００に対応するヘッダフリット７１０の内の一つについてだけ、対応するルーティング転送を実行する。この時、調停部３００は、その同一の入出力制御部１００に対応するヘッダフリット７１０の内の、生存期間フィールド７１１に格納されている生存期間の値が最大であるヘッダフリット７１０に対応するルーティング転送を実行する。
【００４０】
この時、入出力制御部１００の生存期間更新部１１０は、保留された（ルーティング転送が実行されなかった）パケット７０の生存期間フィールド７１１の値に所定の値を加算する。  調停部３００及び存在期間更新部１１０は、未処理のヘッダフリット７１０が存在する限り、上述の処理を繰り返す。
【００４１】
尚、調停部３００が、保留されたパケット７０の生存期間フィールド７１１の値に所定の値を加算してもよい。この場合、入出力制御部１００は、存在期間更新部１１０を含まなくてよい。
【００４２】
次に、具体例として、一般的なラウンドロビン方式の調停と本実施形態による調停とにおけるレイテンシのばらつきについて説明する。
【００４３】
図４は、一般的なラウンドロビン方式の調停におけるレイテンシのばらつきの、シミュレーション結果を示す図である。図４は、１００万リクエスト発行時のＨＯＰ数毎のレイテンシ分布を示している。図４において、縦軸はリクエスト数、横軸はレイテンシである。例えば、ＨＯＰ数７の場合、リクエスト（転送データ）の数のピークはレイテンシが３０ほどの所に現れているが、レイテンシが１００〜２００のリクエストも存在する。
【００４４】
図５は、本実施形態におけるレイテンシのばらつきの、シミュレーション結果を示す図である。図５は、１００万リクエスト発行時のＨＯＰ数毎のレイテンシ分布を示している。図５において、縦軸はリクエスト数、横軸はレイテンシである。例えば、ＨＯＰ数７の場合、リクエスト（転送データ）の数のピークはレイテンシが２５の所に現れ、最大のレイテンシは６４程度に抑えられている。
【００４５】
上述した本実施形態における効果は、パケット転送（あるモジュール４０から別のモジュール４０へのパケット７０の転送）におけるレイテンシ及びスループットのばらつきの削減を、より少ないハードウエア量で実現することが可能になる点である。
【００４６】
その理由は、モジュール４０が生存期間を含むパケット７０を送信し、競合が発生した場合、ルータ１０が最大の生存期間を含むパケット７０を送信し、保留したパケット７０の生存期間を更新するからである。
【００４７】
＜＜＜第２の実施形態＞＞＞
次に、本発明の第２の実施形態について図面を参照して詳細に説明する。以下、本実施形態の説明が不明確にならない範囲で、前述の説明と重複する内容については説明を省略する。
【００４８】
図６は、本発明の第２の実施形態に係るＬＳＩチップ３０の基本構成を示すブロック図である。
【００４９】
図６に示すように、本実施形態に係るＬＳＩチップ３０は、第１の実施形態のＬＳＩチップ３０と比べて、モジュール４０に替えてモジュール４２を含む点が異なる。
【００５０】
モジュール４２は、生存期間として、パケット７０に含まれる生存期間の、想定される最大値を含むパケット７０を送信する。例えば、その最大値は、転送先のモジュール４２までのＨＯＰ数に対応する値である。具体的には、その生存期間は、ＨＯＰ数そのものであってよいし、そのＨＯＰ数より任意の数だけ、少ない数や多い数であってもよい。或いは、その生存期間は、そのＨＯＰ数に任意の値を乗じたものでもよい。
【００５１】
上述した本実施形態における効果は、パケット転送におけるレイテンシ及びスループットのばらつきを、更に削減することが可能になる点である。
【００５２】
その理由は、モジュール４２が生存期間として最大値を含むパケット７０を送信するからである。
【００５３】
＜＜＜第２の実施形態の第１の変形例＞＞＞
本変形例のモジュール４２は、パケット７０がリードリクエストである場合に、生存期間として前述の最大値に所定のリード加算値を加算された値を含む、パケット７０を送信する。例えば、そのリード加算値は、その予め与えられた値と同じ値であってよい。即ち、その生存期間は、リードリクエストのパケット７０が転送される場合のポップ数と応答であるリードデータのパケット７０が転送される場合のポップ数とに対応する値である。具体的には、その生存期間は、転送先のモジュール４２までのＨＯＰ数の倍数であってよいし、そのＨＯＰ数の倍数より任意の数だけ、少ない数や多い数であってもよい。その生存期間は、そのＨＯＰ数に任意の値を乗じたものでもよい。
【００５４】
上述した本実施形態における効果は、パケット７０がリードリクエストである場合には、パケット転送におけるレイテンシ及びスループットのばらつきを、更に削減することが可能になる点である。
【００５５】
その理由は、モジュール４２が生存期間として最大値にリード加算値を加算された値を含むパケット７０を送信するからである。
【００５６】
＜＜＜第２の実施形態の第２の変形例＞＞＞
本変形例のモジュール４２は、パケット７０がリードリクエストに対する応答である場合に、生存期間として前述の最大値にその所定のリード加算値と応答加算値とを加算された値を含む、パケット７０を送信する。例えば、その応答加算値は、その応答であるパケット７０の生成に掛かった時間に対応する値である。具体的には、その応答加算値は、そのパケット７０の生成に掛かった時間を、その生存期間の単位の値に変換した値であってよいし、その変換した値より任意の数だけ、少ない数や多い数であってもよい。
【００５７】
上述した本実施形態における効果は、パケット７０がリードリクエストである場合には、パケット転送におけるレイテンシ及びスループットのばらつきを、更に削減することが可能になる点である。
【００５８】
その理由は、モジュール４２が生存期間として前述の最大値にリード加算値及び応答加算値を加算された値を含むパケット７０を送信するからである。
【００５９】
以上の各実施形態及び各実施形態の変形例で説明したＬＳＩチップ３０は、以下のような様々な形で提供される。
【００６０】
図７は、ＬＳＩチップ３０を含む集積回路（チップセットとも呼ばれる）６１０の一例を示すブロック図である。図７に示すように集積回路６１０は、ＬＳＩチップ３０と、ＬＳＩチップ３０を搭載するパッケージ６１１と、ＬＳＩチップ３０に接続されパッケージ６１１外へ延出する接続端子６１２とを含む。
【００６１】
図８は、集積回路６１０を含むカード６２０の一例を示すブロック図である。図８に示すように、カード６２０は、集積回路６１０と、集積回路６１０へ電力を供給する電力供給回路６２１とを含む。
【００６２】
図９は、カード６２０を含む情報処理装置６３０の一例を示すブロック図である。図９に示すように、情報処理装置６３０は、カード６２０と、カード６２０を搭載するきょう体６３１とを含む。
【００６３】
図１０は、情報処理装置６３０を含む情報処理システム６４０の一例を示すブロック図である。図１０に示すように、情報処理システム６４０は、情報処理装置６３０と、ネットワーク６４１で接続された情報処理装置６４２とを含む。尚、ネットワーク６４１は、任意のネットワークであってよい。また、情報処理装置６４２は、任意の情報処理装置であってよい。
【００６４】
以上、各実施形態を参照して本願発明を説明したが、本願発明は上記実施形態に限定されるものではない。本発明の構成や詳細には、本発明のスコープ内で当業者が理解し得る様々な変更をすることができる。
【符号の説明】
【００６５】
１０    ルータ
２０    チャネル
３０    ＬＳＩチップ
４０    モジュール
４２    モジュール
７０    パケット
１００    入出力制御部
１１０    生存期間更新部
３００    調停部
６１０    集積回路
６１１    パッケージ
６１２    接続端子
６２０    カード
６２１    電力供給回路
６３０    情報処理装置
６３１    きょう体
６４０    情報処理システム
６４１    ネットワーク
６４２    情報処理装置
７１０    ヘッダフリット
７１１    生存期間フィールド
７２０    データフリット
【要約】
【課題】  パケット転送におけるレイテンシ及びスループットのばらつきの削減を、より少ないハードウエア量で、より適切に、実現する。
【解決手段】  転送データの転送に掛かる期間に対応する生存期間を含むその転送データを送信するモジュールと、その転送データの受信及び送信のための複数の入出力制御部を含み、一つのその入出力制御部に競合している複数の送信される転送データの内、最大の生存期間を含む転送データを送信するための調停の結果として、送信を保留された転送データに含まれるその生存期間に所定の値を加算するルータと、を含む。
【選択図】      図１【図１】
0005943109.tif 000002
【図２】
0005943109.tif 000003
【図３】
0005943109.tif 000004
【図４】
0005943109.tif 000005
【図５】
0005943109.tif 000006
【図６】
0005943109.tif 000007
【図７】
0005943109.tif 000008
【図８】
0005943109.tif 000009
【図９】
0005943109.tif 000010
【図１０】
0005943109.tif 000011